(57)【要約】【課題】切断刃が内部に隠されて安全で、衛生的な防汚テープカッター。【解決手段】一対のサイドプレイト１０を相対して嵌合する軸管１１により一体に組み立てて構成する。軸管に嵌合する穿孔２１を設けた中環体２０をサイドプレイト内に配置して、巻回した粘着テープを軸管に勘合してセットする。中環体側辺に凹んだ切断部２２を設けてその片側から粘着テープを引き出し、また、他の片側に切断刃２７を設けた蓋２６を回動可能に枢着して、不使用時には該切断部に収容する。【選択図】図１
0003154301.tif 000002
【実用新案登録請求の範囲】
【請求項１】
中央に互いに嵌合すると共に巻回された粘着テープを挿通する軸管を設けた一対のサイドプレイト、
該軸管を挿通してサイドプレイト間に配置される中環体、
及び一端に切断刃を設けた中環体の蓋から構成し、
該中環体は、一対のサイドプレイト間で粘着テープを覆う側面を構成すると共にその一部縁面に凹んだ切断部を設け、
その一方側から粘着テープを引き出し可能とし、他方側に上記蓋を切断刃の他方の端部を回動可能に枢着し、
該軸管に中環体及び巻回された粘着テープを挿通してセットすると共に、サイドプレイト同士を結合して粘着テープを収容し、切断部から引き出された粘着テープを切断可能とすると共に、切断刃を具えた蓋を上記切断部の凹み内に収容するようにした、
ことを特徴とするサンドイッチ型防汚テープカッター。
【請求項２】
前記切断部は、補助プレイトによって凹み底部を形成すると共に、その一端に枢着溝を設け、また、上記蓋に枢着軸を設けて両者の嵌合により、蓋の回動を行うようにしたことを特徴とする請求項１に記載のサンドイッチ型防汚テープカッター。
【請求項３】
前記中環体は、底のあるＵ字型または環状型に構成されていることを特徴とする請求項１に記載のサンドイッチ型防汚テープカッター。
【請求項４】
前記二つのサイドプレイトと前記中環体と蓋は、異なる色彩で組み合わせを変えてなることを特徴とする請求項１に記載のサンドイッチ型防汚テープカッター。
【請求項５】
前記補助プレイトは、ギザギザ状を呈した面を設けていることを特徴とする請求項２に記載のサンドイッチ型防汚テープカッター。
【請求項６】
前記中環体の前記切断部は、補助プレイトの末端に粘着テープの引き出し溝を設けたことを特徴とする請求項１に記載のサンドイッチ型防汚テープカッター。
【請求項７】
前記蓋の末端の両側に突出した突起をそれぞれ設けられ、蓋が閉められると、前記両側のサイドプレイトが設けた凹んだ嵌合部と互いに嵌合して位置決めを行うことを特徴とする請求項１に記載のサンドイッチ型防汚テープカッター。
【請求項８】
前記中環体は、底のあるＵ字型状に形成し、そのＵ字型底板面の中央に軸管の断面形状に合致する形状の穿孔を設けて位置決めされることを特徴とする請求項１に記載のサンドイッチ型防汚テープカッター。
【請求項９】
前記テープカッターは、組み立てられた形状がサンドイッチ状のサンドクッキーのように構成されていることを特徴とする請求項１に記載のサンドイッチ型防汚テープカッター。
【請求項１０】
前記サイドプレイトは、板面に立体またはレリーフ型の模様の装飾を施してなることを特徴とする請求項１に記載のサンドイッチ型防汚テープカッター
【考案の詳細な説明】
【技術分野】
【０００１】
本考案は、テープカッターに関し、特に、色彩の異なる部品を自由に交換し、切断刃が内部に隠されて安全で、衛生的なサンドイッチ型防汚テープカッターに関する。
【背景技術】
【０００２】
以下、従来技術を図面に基づいて説明する。図５を参照する。図５は、従来技術よるテープカッターを示す斜視図である。図５に示すように、携帯可能なテープカッターは、テープが剥き出しの簡単な構造であった。本体３０は、一対のサイドプレイト３１を結合して構成する。その中間を平板体３２により連結し、Ｕ字型を呈する。平板体３２は、一方の端部に切断刃３３を配置している。二つの相対するサイドプレイト３１の中央部に、半形の凸出し、相対して凹凸挿着する軸棒３４が設けられて、これに巻回されたテープ３５を回転可能に配置する回転軸を形成する。テープ３５の端部が引っ張り出されると、切断刃３３により切断される。テープカッターの各側面は、剥き出しの構造になっており、テープに衛生上の心配が伴うばかりか、テープを切断する切断刃３３が外部に剥き出しになる構造は、安全とは言い難く、医療に用いられる場合は、はなはだ不衛生である。使用上における安全性考慮した結果、全体が覆われたテープカッターが開発されたが、携帯の利便性を優先させたものであった。そのため、用いられるテープカッターが複数あって、ユーザーを区別する必要がある場合、ラベルを貼るなどして区別しなければならなかった。また、ユーザーの好みによりテープカッターを色の異なる部品から組立てたりすることなど、困難であった。そのため、簡単に色分けでき、部品の組み合わせにより色彩を変化させられるテープカッターが求められていた。
【先行技術文献】
【特許文献】
【０００３】
【特許文献１】特開平１０−３５９９１号公報
【特許文献２】特開２００６−１７６２２７号公報
【考案の概要】
【考案が解決しようとする課題】
【０００４】
本考案の目的は、色彩の異なる部品を自由に交換し、切断刃が内部に隠されて安全で、衛生的なサンドイッチ型防汚テープカッターを提供することにある。
【０００５】
上述の目的を達成するため、本考案は、サンドイッチ型防汚テープカッターを提供する。本考案のサンドイッチ型防汚テープカッターは、プラスチックにより成形された組み合わせ本体からなる。組み合わせ縁面に若干凹んだ切断部が設けられている。切断部の外側に蓋が配置され、本体内部に配置されたテープが切断部から引き出されて切断が行われるのに供される。その特徴は、二つのサイドプレイトが互いに挿着されることにより組み立てられている。サイドプレイト内部の中央には、相対するように凹凸設計され、挿着に用いられる軸管がそれぞれ設けられている。組立後の前記軸管にテープが挿着されて枢軸となる。二つのサイドプレイトの中間に中環体が直接配置されている。二つのサイドプレイトが互いに挿着し、位置決めを行う。中環体の縁面には、若干凹んだ切断部が設けられ、切断部の一方の端部にある枢着軸に蓋が枢着されている。そのため、テープの切断に便利である。
【考案の効果】
【０００６】
本考案のサンドイッチ型防汚テープカッターは、両側のサイドプレイトの間に中環体を組み合わせ、互いに挟持し合うように装着および嵌合が行われる構造であり、蓋が隠れるように収納されることにより、テープが完全に覆われて汚れることがなく衛生的で、切断刃を安全に収納することができる。中環体を異なる色彩にすると、テープカッターの外観は、ビビットなものになり、フレキシブルな変化を楽しむことができる。
【図面の簡単な説明】
【０００７】
【図１】本考案の一実施形態によるテープカッターを示す分解斜視図である。
【図２】本考案のテープカッターの組立後の状態を示すの斜視図である。
【図３】本考案のテープカッターの切断刃の使用時における状態を示すの斜視図である。
【図４】本考案のテープカッターの中環体のもう一つの装着方法を示す斜視図である。
【図５】従来技術よるテープカッターを示す斜視図である。
【考案を実施するための形態】
【０００８】
以下、本考案の実施形態を図面に基づいて説明する。
【０００９】
図１〜４を参照する。図１は、本考案の一実施形態によるテープカッターを示す分解斜視図である。図２は、本考案のテープカッターの組立後の状態を示す斜視図である。図３は、本考案のテープカッターの切断刃の使用時における状態を示すの斜視図である。図４は、本考案のテープカッターの中環体のもう一つの装着方法を示す斜視図である。図１〜４に示すように、本考案のサンドイッチ型の衛生的なテープカッターは、従来のサンドイッチ型である。テープカッターは、二つの互いに対称に成形されたサイドプレイト１０が互いに挿着されることにより組み立てられる。サイドプレイト１０の外側の板面は、特殊な凹凸紋により装飾されたり、特殊な外観に直接デザインされても良い。サイドプレイト１０内部の中央には、適当な高さがあるが、末端には、相対するように凹凸設計され、挿着する構造の位置決め軸管１１がそれぞれ設けられている。組立後の軸管１１には、巻回されたテープ１２が挿着されて枢軸として機能する。軸管１１の配置において、テープ１２の挿着および回転に支障がなければ、板面の大きさにより突起および溝の数が変えられる。二つのサイドプレイト１０が装着される前に、テープ１２が挿着されなければならない。また、中間に挟まれる部分には、中環体２０が直接配置され、二つのサイドプレイト１０が互いに挿着し、位置決めを行うのを補助する。中環体２０は、図１に示すように、Ｕ字型に設計したり、図４に示すように、環状型に設計することができる。以下、Ｕ字型を例にして説明を行う。中環体２０のＵ字型底板面の中央には、軸管１１の外周と同様の形状を有する穿孔２１が設けられている。これにより、中環体２０が嵌合されて、位置決めが行われると、組立完了後に、回転して位置がずれることがない。中環体２０の縁面には、若干凹んだ切断部２２が設けられている。切断部２２の底縁には、適切な長さに延伸して形成された補助プレイト２３が設けられている。補助プレイト２３上には、ギザギザ状を呈した面が設けられている。補助プレイト２３の末端には、テープ１２を引き出す溝２４が設けられている。補助プレイト２３は、中環体２０と接続する端部の上方に凹んだ枢着溝２５を設けている。これにより、中環体２０の外側の縁面と同様の弧度を呈する蓋２６が枢着できる。蓋２６の一方の端部にある枢着軸は、枢着溝２５内に直接枢着され、枢動して開き、嵌合して閉まる設計になっている。蓋２６の開閉操作が簡単になるように、蓋２６のフリーエンド側の両側に突出して摘み易い突起２８がそれぞれ設けられている。中環体２０のテープ１２取り出し溝の両側のサイドプレイト１０の相対する位置に凹んだ嵌合部１３がそれぞれ設けられ、蓋２６使用後簡単に嵌合するように蓋をすることができる。このように、蓋２６の末端に凹んで配置された切断刃２７が切断部２２の内側に安全に収納されるため、中環体２０と同じ弧縁上装着され、剥き出なることがなく、怪我をする心配がない。そのため、安全に収納して使用に供するという目的を達し、高い安全性および実用性を兼ね備え、携帯型テープカッターにおいて、全く新しく、実用性に富んだ構造であると言うことができる。
【００１０】
本考案のテープカッターは、両側のサイドプレイト１０の間に中環体２０を組み合わせ、互いに挟持し合うように装着および嵌合が行われる構造である。全体的な構造は、サンドイッチ状のサンドクッキーのような形状である。サイドプレイト１０および中環体２０は、別々に成形され、サイドプレイト１０の板面は、立体またはレリーフ型の装飾以外に、様々なデザインに変化させることができる。中環体２０、蓋２６などの部品は、配色を変えたり、図案化するなどして、自由に組み合わせることができる。これにより、異なる形状および色彩の変化が得られ、ユーザーが自分の好みで部品を交換することができ、ビビットな外観およびフレキシブルな変化が楽しめる。特に、カラーテープ１２とともに使用した場合、全く異なる視覚的効果が現れ、美観の変化をさらに増加させる。テープカッターは、完璧な美観を有する以外に、蓋２６を隠れるように収納することにより、テープ１２が完全に覆われて汚れることがなく、安全にテープ１２の切断が行われ、携帯に便利であるという特性をさらに兼ね備える。全体的な構造は、簡単で、色彩変換装着という実用性を兼ね備え、従来の携帯型テープカッターと異なる稀に見る新しい構造で、フレキシブルな変換装着による安全性、および衛生面を考慮した実用性を有する。
【００１１】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１２】
１０  サイドプレイト
１１  軸管
１２  テープ
１３  嵌合部
２０  中環体
２１  穿孔
２２  切断部
２３  補助プレイト
２４  溝
２５  枢着溝
２６  蓋
２７  切断刃
２８  突起
【図１】
0003154301.tif 000003
【図２】
0003154301.tif 000004
【図３】
0003154301.tif 000005
【図４】
0003154301.tif 000006
【図５】
0003154301.tif 000007